(57)【要約】  コネクタ組立体（１００）は、ハウジング（１０６）、電力コンタクト（３００）、インターロック回路コンタクト（４０６）、レバーサブ組立体（１４６）およびレバーラッチ（１５４）を含む。前記レバーサブ組立体は、前記ハウジングに対して回転するように連結され、ハンドル（１４８）および前記相手コネクタ組立体と係合するグリップ端（１５２）を含み、前記ハンドルが回転すると、前記相手コネクタ組立体に対して前記ハウジングを移動させる。前記ハンドルは、前記相手電力コンタクトから前記電力コンタクトを嵌合解除する前に、前記相手インターロックコンタクトから前記インターロック回路コンタクトを嵌合解除するように回転する。前記レバーラッチは、前記電力コンタクトが前記相手電力コンタクトから嵌合解除される前であって、前記インターロック回路コンタクトが前記相手インターロックコンタクトから嵌合解除された後において、前記レバーサブ組立体の回転を阻止することで、前記インターロック回路コンタクトと前記相手インターロックコンタクトとの分離前に、前記相手電力コンタクトから前記電力コンタクトが嵌合解除されることを防止するコネクタ組立体。【選択図】図３
2013507734.tif 000002
【特許請求の範囲】
【請求項１】
コネクタ組立体（１００）であって、
相手コネクタ組立体（１０４）と嵌合するように構成された嵌合面（１０８）を備えるハウジング（１０６）と、
前記ハウジング内に配置され、前記相手コネクタ組立体内の相手電力コンタクト（２００）と嵌合するように構成された電力コンタクト（３００）と、
前記ハウジング内に配置され、前記相手コネクタ組立体の相手インターロックコンタクト（９００）と嵌合するように構成されることで前記電力コンタクトに供給される電力量を制御するインターロック回路コンタクト（４０６）と、
前記ハウジングに対して回転するように連結され、ハンドル（１４８）および前記相手コネクタ組立体と係合するグリップ端（１５２）を含み、前記ハンドルが回転すると、前記相手コネクタ組立体に対して前記ハウジングを移動させるレバーサブ組立体（１４６）と、
前記ハウジングに連結されるレバーラッチ（１５４）と、を含み、
前記ハンドルは、前記相手電力コンタクトから前記電力コンタクトを嵌合解除する前に、前記相手インターロックコンタクトから前記インターロック回路コンタクトを嵌合解除するように回転し、
前記レバーラッチは、前記電力コンタクトが前記相手電力コンタクトから嵌合解除される前であって、前記インターロック回路コンタクトが前記相手インターロックコンタクトから嵌合解除された後において、前記レバーサブ組立体の回転を阻止することで、前記インターロック回路コンタクトと前記相手インターロックコンタクトとの分離前に前記相手電力コンタクトから前記電力コンタクトが嵌合解除されることを防止するコネクタ組立体。
【請求項２】
前記レバーラッチは、さらに前記レバーサブ組立体を回転させることで、前記レバーラッチを手動操作した後、前記相手電力コンタクトから前記電力コンタクトが嵌合解除可能となることを特徴とする請求項１記載のコネクタ組立体。
【請求項３】
前記レバーサブ組立体は、前記ハンドルに連結され、前記ハウジングにスライド可能に連結されたスライドバー（１５６）を含み、
前記ハンドルを回転させることで、前記スライドバーを前記ハウジングに対して直線的に移動可能であり、
前記レバーラッチは、前記インターロック回路コンタクトと前記相手インターロックコンタクトとの分離前に、前記相手電力コンタクトから前記電力コンタクトが嵌合解除することを防止することを特徴とする請求項１記載のコネクタ組立体。
【請求項４】
前記レバーサブ組立体は、前記ハンドルに連結され、前記ハウジングにスライド可能に連結されたスライドバー（１５６）を含み、
前記ハンドルを回転させることで、前記スライドバーを前記ハウジングに対して直線的に移動可能であり、
前記スライドバーは、前記ハウジングと係合し、前記ハウジングの前記嵌合面への前記スライドバーの移動および前記レバーサブ組立体の前方回転を防止するラッチ（５００）を含むことを特徴とする請求項１記載のコネクタ組立体。
【請求項５】
前記ラッチは、前記ハウジングが前記相手コネクタ組立体と嵌合する際に、前記相手コネクタ組立体によって作動し、前記ハウジングを係合解除することを特徴とする請求項４記載のコネクタ組立体。
【請求項６】
前記レバーサブ組立体は、前記ハンドルに連結され、前記ハウジングにスライド可能に連結されたスライドバー（１５６）を含み、
前記ハンドルを回転させることで、前記スライドバーを前記ハウジングに対して直線的に移動可能であり、
前記スライドバーまたは前記ハンドルは、前記スライドバーの一端にピン（１６６）を含み、
前記ハンドルまたは前記スライドバーは、前記ピンを受容するスロット（１６８）を含み、
前記スロット内での前記ピンの移動が移動することにより、前記ハンドルの回転によってスライドバーが直線的に移動することを特徴とする請求項１記載のコネクタ組立体。
【請求項７】
前記レバーラッチは、前記ハウジング（２００６）に回転するように連結されたトグルスイッチ（２０５４）を含み、
前記トグルスイッチは、対向する前端（２０７４）と後端（２０７６）との間を延伸し、前記前端と前記後端との間に回転軸が設けられ、
前記トグルスイッチが前記回転軸の周りを回転すると、前記前端と前記後端とが交互に前記ハウジングに近づく方向と離れる方向とに移動することを特徴とする請求項１記載のコネクタ組立体。
【請求項８】
前記レバーサブ組立体が前記ハウジングの前記嵌合面（２００８）へ向かって回転すると、前記トグルスイッチの前記後端は前記ハウジングから離れるように回転し、
手動操作によって前記後端が前記ハウジングへ向かって押し込まれ、前記前端を前記ハウジングから離れるように回転させるまで、前記後端が前記レバーサブ組立体の後方回転を阻止することを特徴とする請求項７記載のコネクタ組立体。
【請求項９】
前記嵌合面へ向かって前記レバーサブ組立体が回転することにより、前記ハウジングと前記相手コネクタ組立体とが嵌合し、
続いて、前記インターロック回路コンタクトが前記相手インターロックコンタクトと嵌合する前に、前記電力コンタクトと前記相手電力コンタクトとが嵌合することを特徴とする請求項１記載のコネクタ組立体。
【請求項１０】
前記ハウジングが前記相手コネクタ組立体と嵌合すると、前記レバーラッチがレバーサブ組立体と係合し、前記レバーサブ組立体が前記ハウジングの前記嵌合面から離れるように移動することを防止することを特徴とする請求項１記載のコネクタ組立体。
【発明の詳細な説明】
【技術分野】
【０００１】
本発明は、コネクタ組立体に関し、特に、高電圧用アプリケーションに用いられる互いに嵌合する複数のコネクタ組立体を有するコネクタ組立体に関する。
【背景技術】
【０００２】
燃料コストの増大および環境汚染削減への努力が増大したことによって、自動車産業が電気自動車およびハイブリッド電気自動車（ＨＥＶ）の方向へ向かっている。これら自動車においては、設計の一面として、比較的高電圧で作動させることが考慮される。それゆえに、これら自動車における特定部品は、高電圧を許容するように設計されなければならない。これら自動車の電気組立体は、高電圧で作動する部品を含み、コネクタを含んだ高電圧経路を必要とする。例えば、公知の電気自動車組立体は、６００ボルトまでの作動に使用する部品を含んでいる。
【０００３】
高電圧使用のコネクタアプリケーションにおいては、使用者の安全のためおよびコネクタ自体および他の組立部品へのダメージ防止のための特定の要求がある。例えば、高電圧作用下でコネクタ同士が嵌合解除されると、高電圧用コネクタの相手導電体と嵌合解除された瞬間に、コネクタが高電圧によってダメージを受けてしまう場合がある。ゆえに、アプリケーションによっては、高電圧インターロック（ＨＶＩＬ）回路が、コネクタおよび他の組立部品を高電圧によるダメージから保護するために用いられる。ＨＶＩＬ回路は、高電圧が高電圧用導電体の嵌合および嵌合解除において作用されることがないように、高電圧を制御する。ＨＶＩＬ回路において、高電圧用導電体の嵌合および嵌合解除とＨＶＩＬコンタクトの嵌合および嵌合解除のシーケンスは、使用者を怪我から保護し、部品へのダメージを防止するように制御される。例えば、ＨＶＩＬ回路は、ＨＶＩＬコンタクトより前に、すなわち高電圧作用前に嵌合されることを確実にし、高電圧用導電体の嵌合解除の前（好適には遅延の後）に、ＨＶＩＬコンタクトが嵌合解除されることで高電圧を作用させないようにする。
【発明の概要】
【発明が解決しようとする課題】
【０００４】
これらアプリケーションに用いられるコネクタは、高電圧コネクタと金属モジュール間の安定しかつ封止された機械的接続および電気的接続を提供し、適切に分路されたＨＶＩＬがコネクタから金属ハウジングまでを連続的にシールドし、コネクタ同士が嵌合解除される際に接触しても安全な状態でなければならない。  高電圧コネクタを備えるＨＶＩＬコネクタ保護回路は、通常補助コネクタを必要とするか、または嵌合シーケンスの間に大きな遅延を与えないという１つの問題がある。
【課題を解決するための手段】
【０００５】
課題を解決するための手段は、以下に記載されるコネクタ組立体によって提供される。コネクタ組立体は、ハウジング、電力コンタクト、インターロック回路コンタクト、レバーサブ組立体およびレバーラッチを含む。前記ハウジングは、相手コネクタ組立体と嵌合するように構成された嵌合面を備える。前記電力コンタクトは、前記ハウジング内に配置され、前記相手コネクタ組立体内の相手電力コンタクトと嵌合するように構成される。前記インターロック回路コンタクトは、前記ハウジング内に配置され、前記相手コネクタ組立体の相手インターロックコンタクトと嵌合するように構成されることで前記電力コンタクトに供給される電力量を制御する。前記レバーサブ組立体は、前記ハウジングに対して回転するように連結され、ハンドルおよび前記相手コネクタ組立体と係合するグリップ端を含み、前記ハンドルが回転すると、前記相手コネクタ組立体に対して前記ハウジングを移動させる。前記ハンドルは、前記相手電力コンタクトから前記電力コンタクトを嵌合解除する前に、前記相手インターロックコンタクトから前記インターロック回路コンタクトを嵌合解除するように回転する。前記レバーラッチは、前記電力コンタクトが前記相手電力コンタクトから嵌合解除される前であって、前記インターロック回路コンタクトが前記相手インターロックコンタクトから嵌合解除された後において、前記レバーサブ組立体の回転を阻止することで、前記インターロック回路コンタクトと前記相手インターロックコンタクトとの分離前に、前記相手電力コンタクトから前記電力コンタクトが嵌合解除されることを防止する。
【図面の簡単な説明】
【０００６】
【図１】図１は、本発明の一実施形態における嵌合解除されたコネクタ組立体の斜視図である。
【図２】図２は、図１に示されたコネクタ組立体のうちの相手コネクタ組立体の斜視図である。
【図３】図３は、図１に示されたコネクタ組立体のうちの図２に示されたのではない方のコネクタ組立体の斜視図である。
【図４】図４は、本発明の一実施形態における図１に示されたコネクタ組立体を前から見た正面図である。
【図５】図５は、本発明の一実施形態における図１に示されたコネクタ組立体において図４における線５−５で切断した部分断面図である。
【図６】図６は、本発明の一実施形態における図１に示されたコネクタ組立体の立面図である。
【図７】図７は、嵌合シーケンスの第一段階の本発明の一実施形態における図１に示されたコネクタ組立体を図６に示される線Ａ−Ａで切断した断面図である。
【図８】図８は、嵌合シーケンスの第一段階の本発明の一実施形態における図１に示されたコネクタ組立体を図６に示される線Ｂ−Ｂで切断した断面図である。
【図９】図９は、嵌合シーケンスの第一段階の本発明の一実施形態における図１に示されたコネクタ組立体を図６に示される線Ｃ−Ｃで切断した断面図である。
【図１０】図１０は、嵌合シーケンスの第一段階の本発明の一実施形態における図１に示されたコネクタ組立体を図６に示される線Ｄ−Ｄで切断した断面図である。
【図１１】図１１は、嵌合シーケンスの第二段階の本発明の一実施形態における図１に示されたコネクタ組立体の斜視図である。
【図１２】図１２は、図１１に示される嵌合シーケンスの第二段階の本発明の一実施形態におけるコネクタ組立体を図６に示される線Ａ−Ａで切断した断面図である。
【図１３】図１３は、図１１に示される嵌合シーケンスの第二段階の本発明の一実施形態におけるコネクタ組立体を図６に示される線Ｂ−Ｂで切断した断面図である。
【図１４】図１４は、図１１に示される嵌合シーケンスの第二段階の本発明の一実施形態におけるコネクタ組立体を図６に示される線Ｃ−Ｃで切断した断面図である。
【図１５】図１５は、図１１に示される嵌合解除シーケンスの第二段階の本発明の一実施形態におけるコネクタ組立体の斜視図である。
【図１６】図１６は、図１に示されたコネクタ組立体を図１５に示されるように線１６−１６で切断した断面図である。
【図１７】図１７は、図１５に示される嵌合解除シーケンスの第二段階の本発明の一実施形態におけるコネクタ組立体を図６に示される線Ａ−Ａで切断した断面図である。
【図１８】図１８は、図１５に示される嵌合解除シーケンスの第二段階の本発明の一実施形態におけるコネクタ組立体を図６に示される線Ｂ−Ｂで切断した断面図である。
【図１９】図１９は、本発明の一実施形態における嵌合解除されたコネクタ組立体の斜視図である。
【図２０】図２０は、嵌合シーケンスの第一段階の本発明の一実施形態における図１９に示されたコネクタ組立体の説明図である。
【図２１】図２１は、嵌合シーケンスの第二段階の本発明の一実施形態における図１９に示されたコネクタ組立体の斜視図である。
【図２２】図２２は、嵌合解除シーケンスの第二段階の本発明の一実施形態における図１９に示されたコネクタ組立体の斜視図である。
【図２３】図２３は、本発明の一実施形態における概略回路図である。
【発明を実施するための形態】
【０００７】
本発明は、以下、添付の図面を参照して例示的に説明される。
図１は、本発明の一実施形態における嵌合解除されたコネクタ組立体１００の斜視図である。図２は、図１に示されたコネクタ組立体１００のうちのヘッダコネクタ組立体（相手コネクタ組立体）１０４の斜視図である。図３は、図１に示されたコネクタ組立体１００のうちの図２示されたのではない方のコネクタ組立体１０２の斜視図である。一実施形態において、コネクタ組立体１００は高電圧用コネクタ組立体である。例えば、コネクタ組立体１００は、約６００ボルトまでの電圧で電流を流すことが可能である。コネクタ組立体１００は、少なくとも約４２Ｖの電圧で電流を流すことが可能である。あるいは、コネクタ組立体１００は、より低い電圧で電流が流れる組立体であってもよい。コネクタ組立体１００は、乗り物用コネクタ組立体であってもよい。例えば、コネクタ組立体１００は、自動車の２つ以上の電気デバイスや電気モジュール間の通電のために用いられてもよい。
【０００８】
コネクタ組立体１００は、コネクタ組立体１０２およびヘッダコネクタ組立体１０４を含む。コネクタ組立体１０２および相手コネクタ組立体１０４は互いに嵌合することで通電する。相手コネクタ組立体１０４は、自動車における高電圧用アプリケーションにおいては、金属モジュール（図示せず）などのモジュールに実装されてもよい。一例示的態様において、相手コネクタ組立体１０４は、空調ユニットやヒータユニットなど１つ以上の電子デバイスへの電源として機能する自動車の電力配分モジュール２３００（図２３参照）の外面に実装される。あるいは、相手コネクタ組立体１０４は、モジュールに実装されないコネクタであってもよい。例えば、相手コネクタ組立体１０４は、モジュールに実装されること無く、コネクタ組立体１０２と嵌合するように構成されたコネクタであってもよい。
【０００９】
コネクタ組立体１０２は、嵌合面（嵌合端）１０８と後面１１０との間を延伸する外部ハウジング１０６を含む。ハウジング１０６は、さらに上面１１８と上面１１８と反対側の底面１２０との間および互いに対向する側面１２２と側面１２４との間を延伸する。嵌合面１０８が相手コネクタ組立体１０４と係合し嵌合することで、相手コネクタ組立体１０４とコネクタ組立体１０２が連結する。図示された実施形態において、後面１１０は、複数のケーブルポート１１２を含む。ケーブルポート１１２は、ハウジング１０６に複数のケーブル１１４が延伸する複数の開口を与える。ケーブル１１４は、ハウジング１０６内に配置されたコンタクトと電気接続される。例えばケーブル１１４は、電力コンタクト３００（図３参照）と電気接続される導電体１１６（図１参照）を含む。電力コンタクト３００は、相手コネクタ組立体１０４中の対応する相手電力コンタクト２００（図２参照）と嵌合して、相互間の通電路となり、コネクタ組立体１０２と相手コネクタ組立体１０４との間を通電させる。インターロック回路コンタクト４０６は、相手コネクタ組立体１０４における対応する相手インターロックコンタクト９００（図８参照）と嵌合する。相手インターロックコンタクト９００は、電力コンタクト３００および／または相手電力コンタクト２００を流れる電流量を制御するインターロック回路と電気接続される。例えば電流が電力コンタクト３００を用いて、コネクタ組立体１０２と相手コネクタ組立体１０４との間を流れる際には、相手インターロックコンタクト９００は、コンピュータプログラミング可能な論理回路または配線論理回路であるＨＶＩＬ回路１７２と接続される。
【００１０】
ヘッダコネクタ組立体（相手コネクタ組立体）１０４は、嵌合面１２８と実装面１３０との間を延伸する外部ハウジング１２６を含む。嵌合面１２８はコネクタ組立体１０２と嵌合し、実装面１３０は電力配分モジュールなどのモジュール１３２（図１参照）に実装あるいは連結される。さらに、ハウジング１２６は、互いに反対側の上面１３４と底面１３６との間、および互いに反対側の側面１３８と側面１４０との間を延伸する。複数のケーブル１４２，１４４（図１参照）は、モジュール１３２における相手コネクタ組立体１０４のハウジング１２６が実装される面の反対側から延伸する。ケーブル１４２，１４４は、ハウジング１２６内に配置されたコンタクトと電気接続される。例えば、ケーブル１４２，１４４は、相手電力コンタクト２００（図２参照）と相手インターロックコンタクト９００（図８参照）とを電気接続する上述の導電体１１６と同様の導電体を含んでもよい。相手電力コンタクト２００は、コネクタ組立体１０２の電力コンタクト３００（図２参照）と嵌合し、相互間に一以上の通電路を形成し、コネクタ組立体１０２と相手コネクタ組立体１０４との間を通電させる。相手インターロックコンタクト９００は、コネクタ組立体１０２のインターロック回路コンタクト４０６（図４参照）と嵌合する。ケーブル１４４は、相手インターロックコンタクト９００と接続され、相手インターロックコンタクト９００と電力コンタクト３００および／または相手電力コンタクト２００を流れる電流量を制御するＨＶＩＬ回路１７２とを接続する。
【００１１】
図示された実施形態において、コネクタ組立体１０２は、ハウジング１０６と連結されたレバーサブ組立体１４６を含む。レバーサブ組立体１４６は、コネクタ組立体１０２を相手コネクタ組立体１０４へ向かっておよび／または相手コネクタ組立体１０４から離れるように移動させるように手動操作される。例えば、レバーサブ組立体１４６はハウジング１０６に回転するように連結されたハンドル１４８を含み、ハンドル１４８が回転軸１５０の周りをハウジング１０６に対して回転可能である。ハンドル１４８は、コネクタ組立体１０２と相手コネクタ組立体１０４とを嵌合させるために、嵌合面１０８よりもハウジング１０６の後面１１０により近い位置である後方位置（図１および図３参照）から嵌合円弧１６０に沿って反対方向の後面１１０よりも嵌合面１０８により近い前方位置（図１２から図１５参照）まで回転可能である。ハンドル１４８は、後面１１０へ向かって反対方向に回転することで、相手コネクタ組立体１０４からコネクタ組立体１０２を嵌合解除する。
【００１２】
ハンドル１４８は、ハンドル１４８がハウジング１０６に回転自在に連結された位置またはその近傍でグリップ端１５２と連結される。図示された実施形態において、グリップ端１５２は、ハウジング１０６にレバーサブ組立体１４６およびハンドル１４８が回転自在に連結する回転ピン１１０２（図１０参照）を含む。グリップ端１５２は、回転ピン１１０２の外周に沿って、回転ピン１１０２から半径方向に突出する歯３０２（図３参照）を備える。歯３０２は、ハンドル１４８が回転して相手コネクタ組立体１０４のハウジング１２６における側面１３８，側面１４０における歯１５８と噛み合うと、回転する。グリップ端１５２およびハンドル１４８が相手コネクタ組立体１０４のハウジング１２６に対して回転すると、歯３０２と歯１５８との係合によってコネクタ組立体１０２が相手コネクタ組立体１０４に対して直線的に移動する。例えば、ハンドル１４８の回転を相手コネクタ組立体１０４に対してコネクタ組立体１０２の直線的に移動に変換するために、コネクタ組立体１０２の歯３０２が相手コネクタ組立体１０４の歯１５８と直線的に方向に整合する。
【００１３】
図示された実施形態において、嵌合面１０８へ向かってハンドル１４８を嵌合円弧１６０に沿って回転すると、レバーサブ組立体１４６のグリップ端１５２が相手コネクタ組立体１０４のハウジング１２６と係合し、コネクタ組立体１０２のハウジング１０６が嵌合方向１６２（図１参照）に沿って直線的に移動する。例えば、歯３０２と歯１５８とが互いに係合することにより、嵌合方向１６２に沿ってコネクタ組立体１０２のハウジング１０６が移動し、コネクタ組立体１０２と相手コネクタ組立体１０４との嵌合のための嵌合力を与える。逆に、後面１１０へ向かってハンドル１４８を嵌合円弧１６０に沿って回転すると、コネクタ組立体１０２のハウジング１０６が嵌合解除方向１６４（図１参照）への直線的に移動する。例えば、歯３０２と歯１５８とが互いに係合することが、コネクタ組立体１０２のハウジング１０６を嵌合解除方向１６４に沿う方向に並進させ、相手コネクタ組立体１０４からコネクタ組立体１０２を分離する嵌合解除力を与える。
【００１４】
コネクタ組立体１０２と相手コネクタ組立体１０４との嵌合および／または嵌合解除の際にハンドル１４８が回転すると、レバーラッチ１５４がレバーサブ組立体１４６と係合する。レバーラッチ１５４は、ハウジング１０６の上面１１８に沿って配置された片持ち梁である。レバーラッチ１５４は、ハウジング１０６の内方に向けて下側へ偏倚される。図示された実施形態において、レバーサブ組立体１４６は、コネクタ組立体１０２と相手コネクタ組立体１０４との嵌合および嵌合解除の際にレバーラッチ１５４と係合するスライドバー１５６を含む。図３に示されるように、スライドバー１５６は、互いに反対側となる前端３０４と後端３０６との間、互いに反対側の側面３０８と側面３１０との間および互いに反対側の上面３１２と底面３１４との間を延伸している。スライドバー１５６は、底面３１４から上面３１２までスライドバー１５６を貫通するラッチ開口３１６（図３参照）を含む。
【００１５】
嵌合方向１６２および嵌合解除方向１６４に沿って、スライドバー１５６がコネクタ組立体１０２のハウジング１０６の上面１１８に沿ってスライドする。例えば、スライドバー１５６は、ハンドル１４８が嵌合円弧１６０に沿って反対方向へ回転することで、スライドバー１５６が嵌合方向１６２および嵌合解除方向１６４に沿った方向に移動可能となるように、ハンドル１４８と回転自在に連結される。スライドバー１５６は、ハウジング１０６において上面１１８に沿って延伸するスロット１７０と係合する。スライドバー１５６は、スロット１７０に沿ってハウジング１０６上をスライドする。図示された実施形態において、スライドバー１５６は、スライドバー１５６から互いに反対方向に突出するピン１６６を含む。ピン１６６は、レバーサブ組立体１４６の弓形状スロット１６８内に受容される。例えば、レバーサブ組立体１４６は、ハンドル１４８のグリップ端１５２近傍に配置された弓形状スロット１６８を含んでもよい。ハンドル１４８の回転がスライドバー１５６の直線的に移動に変換可能なように、ハンドル１４８が嵌合円弧１６０に沿って回転すると、弓形状スロット１６８内においてピン１６６はスライド可能である。
【００１６】
図４は、本発明の一実施形態におけるコネクタ組立体１０２を前から見た正面図である。スライドバー１５６は、互いに反対側の側面３０８，側面３１０の内面４０２，内面４０４から内方に突出するレール４００を含む。レール４００は、ハウジング１０６の上面１１８に沿ってスライドバー１５６を案内するハウジング１０６のスロット１７０内に受容される。図４に示されるように、コネクタ組立体１０２は、３本の電力コンタクト３００と単一のインターロック回路コンタクト４０６を含む。別の実施形態では、電力コンタクト３００および／またはインターロック回路コンタクト４０６は、異なる数および／または異なる配置であってもよい。
【００１７】
図５は、本発明の一実施形態におけるコネクタ組立体１０２において図４における線５−５で切断した部分断面図である。スライドバー１５６は、スライドバー１５６の底面３１４に連結された固定ラッチ５００を含む。固定ラッチ５００は、片持ち梁であり、ラッチ５００を塑性変形させることなくフレキシブルに付勢可能である。例えば、固定ラッチ５００は、スライドバー１５６へ向かって上方へ付勢可能である。図示された実施形態において、コネクタ組立体１０２のハウジング１０６の上面１１８は、ラッチ開口５０２を含む。スライドバー１５６がハウジング１０６の嵌合面１０８（図１参照）から離れるように移動すると、固定ラッチ５００がラッチ開口５０２中へ受容され、ハウジング１０６と係合する。例えば、ハンドル１４８（図１参照）はハウジング１０６の後面１１０（図１参照）へ向かって後方へ回転することで、嵌合解除方向１６４に沿ってスライドバー１５６をスライドさせる。固定ラッチ５００がラッチ開口５０２にスナップ係合するまで、スライドバー１５６は、嵌合解除方向１６４に移動可能である。
【００１８】
固定ラッチ５００は、ラッチ開口５０２内でハウジング１０６と係合し、スライドバー１５６のハウジング１０６に対しての移動を防止する。例えば、固定ラッチ５００は、ハウジング１０６と係合し、スライドバー１５６の嵌合方向１６２への移動を防止する。一実施形態において、固定ラッチ５００は、ハウジング１０６と係合し、スライドバー１５６の嵌合方向１６２への移動を防止するので、ひいてはハンドル１４８（図１参照）がハウジング１０６の嵌合面１０８へ向かって回転することを防止する。それゆえに、固定ラッチ５００は、コネクタ組立体１０２が相手コネクタ組立体１０４（図１参照）と嵌合することを防止する。例えば、固定ラッチ５００はスライドバー１５６が嵌合方向１６２へ移動することを防止すると、スライドバー１５６が移動できなくなり、ハンドル１４８が前方回転することを防止する。
【００１９】
複数段階の嵌合シーケンスにおいて、コネクタ組立体１０２は相手コネクタ組立体１０４（図１参照）と嵌合する。嵌合シーケンスにおいては、電力コンタクト３００（図３参照）と相手電力コンタクト２００（図２参照）、およびインターロック回路コンタクト４０６（図４参照）と相手インターロックコンタクト９００（図８参照）が順に嵌合する。例えば、嵌合シーケンスにおいては、インターロック回路コンタクト４０６と相手インターロックコンタクト９００が嵌合する前に、電力コンタクト３００と相手電力コンタクト２００とが嵌合する。嵌合シーケンスは、これらコンタクトをこの順番で嵌合させ、インターロック回路コンタクト４０６と相手インターロックコンタクト９００が接続される前に電力コンタクト３００と相手電力コンタクト２００が接続されるのを確実にする。同様に、コネクタ組立体１０２は、複数段階の嵌合解除シーケンスで相手コネクタ組立体１０４から嵌合解除される。嵌合解除シーケンスは、順に相手インターロックコンタクト９００からインターロック回路コンタクト４０６を嵌合解除し、相手電力コンタクト２００から電力コンタクト３００を嵌合解除する。例えば、電力コンタクト３００と相手電力コンタクト２００とが嵌合解除する前に、互いにインターロック回路コンタクト４０６と相手インターロックコンタクト９００とを嵌合解除する。嵌合解除シーケンスにおいては、キャパシタなどの電気部品に蓄積された電荷を放出するための十分な時間を与えるために電力コンタクト２００，３００を嵌合状態に維持する一方で、電力コンタクト２００，３００を流れる電流を遮断するためにインターロックコンタクト４０６，９００の嵌合解除と電力コンタクト２００，３００の嵌合解除との間にさらに遅延時間を生じさせる。
【００２０】
図６は、本発明の一実施形態における複数段階の嵌合シーケンスにおける第一段階でのコネクタ組立体１００の斜視図である。図７に示されるように、相手コネクタ組立体１０４のハウジング１２６は、コネクタ組立体１０２のハウジング１０６内へ受容される。コネクタ組立体１０２が嵌合シーケンスの第一段階（図６参照）にある場合において、ハンドル１４８およびスライドバー１５６は、後面１１０へ向かって配置される。コネクタ組立体１０２は、コネクタ組立体１０２の電力コンタクト３００（図３参照）が相手コネクタ組立体１０４の電力コンタクト２００（図２参照）と嵌合するまで、相手コネクタ組立体１０４のハウジング１２６内へ挿入される。
【００２１】
図６は、後述の嵌合／嵌合解除シーケンスの各段階において、コネクタ組立体１００（図１参照）と各部品の関係を説明するために用いられる。例えば、線Ａ−Ａで切断した断面図（図７参照）は、嵌合シーケンスおよび嵌合解除シーケンスの各段階において、電力コンタクト２００（図２参照），３００の互いの関係を説明するために用いられる。例えば、線Ｂ−Ｂで切断した断面図（図８参照）は、インターロック回路コンタクト４０６，９００（図８参照）の互いの関係を説明するために用いられる。線Ｃ−Ｃで切断した断面図（図９参照）は、コネクタ組立体１０２のハウジング１０６および／または相手コネクタ組立体１０４（図１参照）に対してコネクタ組立体１０２の固定ラッチ５００（図５参照）の関係を説明するために用いられる。線Ｄ−Ｄで切断した断面図（図１０参照）は、レバーサブ組立体１４６のグリップ端１５２の関係を示す。
【００２２】
図７は、嵌合シーケンスの第一段階のコネクタ組立体１００を図６に示される線Ａ−Ａで切断した断面図である。図７は、相手コネクタ組立体１０４の相手電力コンタクト２００と接触し、係合するコネクタ組立体１０２の電力コンタクト３００を示す。例えば、相手電力コンタクト２００は電力コンタクト３００内に受容して係合される。
【００２３】
図８は、嵌合シーケンスの第一段階のコネクタ組立体１００を図６に示される線Ｂ−Ｂで切断した断面図である。図８は、相手コネクタ組立体１０４の相手インターロックコンタクトからコネクタ組立体１０２のインターロック回路コンタクト４０６が嵌合解除される図である。例えば、インターロック回路コンタクト４０６が相手インターロックコンタクト９００から分離される。図７から図９までに示されるように、インターロックコンタクト４０６，９００が互いに嵌合解除され、分離される一方で、電力コンタクト２００（図２参照）と電力コンタクト３００（図３参照）は互いに嵌合する。それゆえに、嵌合シーケンスの第一段階において、電力コンタクト２００，３００は互いの通電のために接続されるが、インターロックコンタクト４０６，９００は互いに分離される。ゆえに、コネクタ組立体１００における電力コンタクト２００，３００間は通電しない。インターロックコンタクト４０６，９００が互いに接続される場合にのみ、コネクタ組立体１００における電力コンタクト２００，３００間が通電する。
【００２４】
図２３は、本発明の一実施形態におけるコネクタ組立体１００の概略回路図である。図２３の回路図は、インターロックコンタクト４０６，９００の嵌合および嵌合解除に基づいて、電力コンタクト２００，３００を流れる電流量を制御する方法を説明する図である。コネクタ組立体１００は点線で示されたコネクタ組立体１０２と相手コネクタ組立体１０４との嵌合関係で示され、相手コネクタ組立体１０４が電力配分モジュール２３００に実装されて示される。電力配分モジュール２３００は、電源回路２３０２を含む。電源回路２３０２は、電気負荷２３０６と電源２３０４とを電気的に相互接続させる。電気負荷２３０６がモジュール２３００の内部に示されるが、負荷２３０６はモジュール２３００の外側にあってもよい。
【００２５】
電源２３０４は高電圧電源であってもよい。例えば、電源２３０４は、少なくとも約１５Ｖ以上の交流電流を出力するバッテリ、または少なくとも約３０Ｖ以上の直流電源であってもよい。図示された実施形態において、電源２３０４は、直流電源として示されるが、別の実施形態では、交流電流源であってもよい。電気負荷２３０６は、電源２３０４によって供給された電流を受け取り使用するデバイス、システム、装置または他のコンポーネントを含む。例えば、図示された実施形態において、電気負荷２３０６は、ヒータとして示される。別の実施形態においては、電気負荷２３０６は、空調ユニットなどの他のデバイスであってもよい。単一の電源２３０４と単一の電気負荷２３０６のみが電源回路２３０２の一部として示されるが、別の実施形態においては、電源回路２３０２は、複数の電源２３０４および／または複数の電気負荷２３０６を含んでもよい。
【００２６】
一実施形態において、ヒューズ付き通電路７２０がＩＦＣ組立体１０２の内部にある。例えば、ヒューズ２５０および導電性端子２４０，２４２（図７の概略図が代表であるように）は、ＩＦＣ組立体１０２の内部にある。ヒューズ付き通電路７２０は、ＩＦＣ組立体１０２内に完全に包含され、ヒューズ付き通電路７２０の一部またはコンポーネントであっても、ＩＦＣ組立体１０２と分離され、すなわち外側とはされない。
【００２７】
一実施形態において、電源回路７００が電力配電モジュール１０６の内部にある。例えば、電源回路７００は、電源７０２、電気負荷７０４、電源７０２と電気負荷７０４とを内部で相互接続する複数の通電路７０６を含む。電源回路７００は、電力配電モジュール１０６内に完全に包含されてもよい。例えば、電源７０２、電気負荷７０４、通電路７０６は、電力配電モジュール１０６の外側には延伸していない。通電路７０６は、電力配電モジュール１０６の外面１０８およびその近傍に配置されるノード７０８まで延伸する。例えば、通電路７０６は、ヘッダコネクタ組立体１０４（図１参照）のコンタクト１２６（図１参照）と接続される。コンタクト１２６は、図７においてはノード７０８として代表されている。
【００２８】
コネクタ組立体１０２の導電体１１６は、一個以上の電気負荷２３０８，２３１０と電気接続される。例えば、ケーブル１１４は、一個以上の電気負荷２３０８，２３１０と接続し、コネクタ組立体１０２を通じて電気負荷２３０８，２３１０へ電力供給する。電力は電力配分モジュール２３００から供給され、嵌合状態のコネクタ組立体１０２，１０４を通じて負荷２３０８，２３１０へ輸送される。コネクタ組立体１０２，１０４は嵌合して電源回路２３０２を閉じる。コネクタ組立体１０２と相手コネクタ組立体１０４とが嵌合する前は、電源回路２３０２は開状態である。例えば、コネクタ組立体１０２と相手コネクタ組立体１０４とが嵌合する前は、電源回路２３０２は、ノード２３１２，２３１４間で開状態となり、電流は電源回路２３０２を流れない。コネクタ組立体１０２と相手コネクタ組立体１０４とが嵌合することで電源回路２３０２を閉じた状態とする。例えば、相手コネクタ組立体１０４とコネクタ組立体１０２とが嵌合すると、電力コンタクト２００，３００がノード２３１２，２３１４において相互に電気接続する。コネクタ組立体１０２は、相手コネクタ組立体１０４とノード２３１２，２３１４において接続される。相手コネクタ組立体１０４とコネクタ組立体１０２とが一旦嵌合すると、電流が電源２３０４から電気負荷２３０８，２３１０まで電源回路２３０２に沿って流れる。
【００２９】
電力配分モジュール２３００は、電源２３０４に指示を与える論理デバイス２３１６を含む。論理デバイス２３１６は、マイクロコントローラ、プロセッサ、マイクロプロセッサー、コンピュータ、および／または、プロセッサ、マイクロプロセッサー、コンピュータ上で作動するソフトウェアなどの一以上のコンピュータ論理コンポーネントで具現化されている。論理デバイス２３１６は、電源２３０４に電気負荷２３０８，２３１０への電流の供給および供給停止を指示する。例えば、論理デバイス２３１６は、コネクタ組立体１０２と相手コネクタ組立体１０４とが一旦嵌合され、電源回路２３０２が閉状態とされると、電気負荷２３０８，２３１０にコネクタ組立体１０２を通じて高電圧電流を供給開始するように電源２３０４に指示する。逆に論理デバイス２３１６は、コネクタ組立体１０２と相手コネクタ組立体１０４とが部分的にあるいは完全に嵌合解除されると、電気負荷２３０８，２３１０にコネクタ組立体１０２を通じての高電圧電流を供給停止するように電源２３０４に指示する。論理デバイス２３１６は、例えばワイヤやバスバーなどの一以上の通電路２３１８を介して受信した制御信号により、電源２３０４と通信してもよい。
【００３０】
図示された実施形態において、電力配分モジュール２３００におけるインターロック回路２３２０は、論理デバイス２３１６と通電路２３２２とを電気的に相互接続する。通電路２３２２は、論理デバイス２３１６と相手コネクタ組立体１０４のインターロックコンタクト９００とを電気的に接続する。
【００３１】
インターロックコンタクト９００は、ノード２３２４においてコネクタ組立体１０２のインターロックコンタクト４０６と嵌合する。一実施形態においては、コネクタ組立体１０２，１０４同士の嵌合により、インターロック回路２３２０を閉状態とする。例えば、コネクタ組立体１０２，１０４同士の嵌合により、ノード２３２４においてインターロックコンタクト４０６，９００同士を接続する。コネクタ組立体１０２，１０４の嵌合前においては、インターロック回路２３２０は、ノード２３２４間が開状態にある。インターロックコンタクト４０６は、ノード２３２４間のインターロック回路２３２０を閉状態とする。論理デバイス２３１６は、インターロック回路２３２０が閉状態となったときを検出し、コネクタ組立体１０２を通じて高電圧電流を供給開始するように電源２３０４に指示する。
【００３２】
上述したように、インターロックコンタクト４０６、９００がインターロック回路２３２０を閉状態とする前に、電力コンタクト２００，３００で電源回路２３０２を閉状態とする嵌合シーケンスで、インターロック回路２３２０が閉状態とされる前に、電源回路２３０２を閉状態とすることで、コネクタ組立体１０２，１０４は互いに嵌合する。電源回路２３０２がコネクタ組立体１０２によって閉状態とされるまで電源回路２３０２に電流が流れないことを確実にできる。コネクタ組立体１０２，１０４は、電源回路２３０２を開状態とする前に、インターロック回路２３２０を開状態とする嵌合解除シーケンスで互いに嵌合解除する。例えば、電力コンタクト２００，３００が互いに接続解除される前に、インターロックコンタクト４０６，９００が嵌合解除される。インターロック回路２３２０に対して電源回路２３０２が開状態となることが遅れることで、電源回路２３０２を開状態とする前に、電源回路２３０２におけるキャパシタなどの付加的な電気部品に蓄積された電気エネルギーを放電するための付加時間を得ることができる。そうでなければ、蓄積された電荷によって電源回路２３０２における部品がダメージを受けてしまう場合がある。
【００３３】
図９は、嵌合シーケンスの第一段階のコネクタ組立体１００を図６に示される線Ｃ−Ｃで切断した断面図である。図示された実施形態において、コネクタ組立体１０２のハウジング１０６は、相手コネクタ組立体１０４のハウジング１２６内へ挿入される。ハウジング１２６がスライドバー１５６の固定ラッチ５００と係合するまで、ハウジング１２６の嵌合面１２８は、コネクタ組立体１０２内へ挿入される。例えば、ハウジング１２６が固定ラッチ５００を上方へ偏倚させるまでハウジング１２６はコネクタ組立体１０２内を進む。ハウジング１２６は、固定ラッチ５００がコネクタ組立体１０２のハウジング１０６と完全に係合しなくなるまで、固定ラッチ５００を十分押し上げるように固定ラッチ５００を偏倚させる。例えば、固定ラッチ５００は、スライドバー１５６がハウジング１０６に対して嵌合方向１６２に沿って移動する際に固定ラッチ５００をラッチ開口５０２の外側へスライドさせるための傾斜面１０００を含む。あるいは、相手コネクタ組立体１０４のハウジング１２６が、固定ラッチ５００をラッチ開口５０２の完全に外側まで上方に偏倚させてもよい。
【００３４】
図１０は、嵌合シーケンスの第一段階のコネクタ組立体１００を図６に示される線Ｄ−Ｄで切断した断面図である。図１０で示されるように、レバーサブ組立体１４６のグリップ端１５２の歯３０２は、相手コネクタ組立体１０４の歯１５８に係合する。歯３０２は歯１５８と係合する位置にあり、ハンドル１４８を嵌合円弧１６０に沿って相手コネクタ組立体１０４へ向かって回転することで、相手コネクタ組立体１０４へ向かってコネクタ組立体１０２を直線移動させられるものの、嵌合シーケンスの第一段階においては、歯１５８，３０２はまだ互いに噛み合っていない。例えば、前進円弧１１００に沿って歯３０２が回転することで歯３０２を歯１５８と噛み合わせ、コネクタ組立体１０２を嵌合方向１６２に直進移動させる。
【００３５】
図１１は、嵌合シーケンスの第二段階の本発明の一実施形態におけるコネクタ組立体１００の斜視図である。第二段階は嵌合位置でもある。あるいは、図１１に示される嵌合位置は、コネクタ組立体１００の嵌合解除シーケンスの第一段階としても参照される。例えば、コネクタ組立体１０２が相手コネクタ組立体１０４と嵌合解除される場合においては、図１１に示された段階は、相手コネクタ組立体１０４からコネクタ組立体１０２を嵌合解除する第一段階となる。
【００３６】
コネクタ組立体１００は、図１１に示された嵌合位置すなわち嵌合関係で示される。例えば、嵌合シーケンスの第二段階において、コネクタ組立体１０２および相手コネクタ組立体１０４とは互いに嵌合する。図１１に示されるように、レバーサブ組立体１４６のハンドル１４８は、コネクタ組立体１０２の嵌合面１０８（図１参照）に向かって嵌合円弧１６０に沿って回転が完了している。その結果、スライドバー１５６は、コネクタ組立体１０２の上面１１８に沿って、嵌合面１０８へ向かって嵌合方向１６２への進行が完了している。さらに、レバーサブ組立体１４６のグリップ端１５２は、相手コネクタ組立体１０４のハウジング１２６と係合することで、２つのコネクタ組立体１０２，１０４が互いに嵌合するようにコネクタ組立体１０２を相手コネクタ組立体１０４へ向けて直進が完了している。
【００３７】
図１２は、嵌合シーケンスの第二段階の本発明の一実施形態における図１１に示されたコネクタ組立体１００を図６に示される線Ａ−Ａで切断した断面図である。上述のように、コネクタ組立体１００が図６に示される第一段階にある時には、電力コンタクト２００，３００は、互いに嵌合している。相手コネクタ組立体１０４へ向かって嵌合方向１６２にコネクタ組立体１０２が進むと、図７に示される係合位置から電力コンタクト２００，３００が図１２に示される嵌合すなわち接続完了位置まで移動する。例えば、コネクタ組立体１０２が相手コネクタ組立体１０４に対しての嵌合方向へ移動すると、電力コンタクト２００，３００が互いへ向かって移動し続ける。図１２に示されるように、電力コンタクト３００と相手電力コンタクト２００は、嵌合シーケンスの第一段階と比べて相手電力コンタクト２００が電力コンタクト３００内へより深く受容される状態で互いに嵌合している。
【００３８】
図１３は、嵌合シーケンスの第二段階の図１１に示されたコネクタ組立体１００を図６に示される線Ｂ−Ｂで切断した断面図である。第二段階において、コネクタ組立体１０２のインターロック回路コンタクト４０６は、相手コネクタ組立体１０４の相手インターロックコンタクト９００と嵌合する。図示された実施形態において、インターロック回路コンタクト４０６は、金属や金属合金を含む導電性材料を含むまたは導電性材料から形成されたコンタクトである。インターロック回路コンタクト４０６は、相手インターロックコンタクト９００と嵌合して、相手インターロックコンタクト９００間の電気短絡すなわちショートさせる。ＨＶＩＬ回路（図１参照）は、インターロックコンタクト４０６，９００の嵌合について、インターロックコンタクト４０６，９００を含むインターロック回路を閉状態となったことで検出できる。図１３および図１４に示されるように、電力コンタクト２００，３００（図２および図３参照）は互いに嵌合し、かつ、インターロックコンタクト４０６，９００は互いに嵌合する。ゆえに、嵌合シーケンスの第二段階において、電力コンタクト２００，３００は互いに通電するように接続され、かつ、インターロックコンタクト４０６，９００は互いに嵌合する。これによって、ＨＶＩＬ回路１７２は、電力コンタクト２００，３００間を通電させることになる。例えば、図２３に示された例で上述したように、コネクタ組立体１００は、インターロックコンタクト４０６，９００間に通電路が一旦形成されると、電力コンタクト２００，３００間を通電可能である。
【００３９】
図１４は、嵌合シーケンスの第二段階の図１１に示されたコネクタ組立体１００を図６に示される線Ｃ−Ｃで切断した断面図である。図示された実施形態において、ハンドル１４８が嵌合円弧１６０に沿ってハウジング１０６の嵌合面１０８（図１参照）へ向かって回転すると、スライドバー１５６がコネクタ組立体１０２のハウジング１０６の上面１１８に沿って嵌合方向１６２にスライドする。スライドバー１５６がハウジング１０６のレバーラッチ１５４を超えて嵌合方向１６２へ進む。スライドバー１５６は、スライドバー１５６の前端３０４がレバーラッチ１５４と係合するまで、嵌合方向１６２に移動してもよい。スライドバー１５６が嵌合方向１６２へ移動し続けると、前端３０４がレバーラッチ１５４をハウジング１０６内に向けて下方向に付勢する。レバーラッチ１５４は、スライドバー１５６がレバーラッチ１５４を超えた後、付勢を受けない位置まで上方へ移動する。例えば、レバーラッチ１５４は、後端３０６がレバーラッチ１５４を超えるまで、下方向に付勢される。後端３０６がレバーラッチ１５４を超えると、レバーラッチ１５４は図１２および図１５に示される位置まで弾性的に戻る。
【００４０】
図示された実施形態において、レバーラッチ１５４は、傾斜後面１５００とその反対側の阻止面１５０２を含む。傾斜後面１５００は、ハウジング１０６の嵌合面１０８（図１参照）から離れる方向に向き、阻止面１５０２は嵌合面１０８を向いている。阻止面１５０２がスライドバー１５６の後端３０６とほぼ並行であるのに対し、図１４に示されるように傾斜後面１５００がスライドバー１５６の前端３０４に対して傾斜している。後面１５００は、スライドバー１５６が嵌合方向１６２へ移動して後面１５００と係合する際に、スライドバー１５６がレバーラッチ１５４を下方向へ付勢可能に傾斜される。阻止面１５０２は、スライドバー１５６の後端３０６とほぼ平行であり、スライドバー１５６がレバーラッチ１５４を超えて嵌合方向１６２へ移動した後に、スライドバー１５６の後方移動を阻止する。例えば、スライドバー１５６が図１４に示される位置に一旦なると、嵌合解除方向１６４へのスライドバー１５６の後方移動がレバーラッチ１５４の阻止面１５０２によって阻止される。一実施形態において、レバーラッチ１５４が押圧すなわち下方向に付勢され、スライドバー１５６の移動経路上から外れるまで、レバーラッチ１５４は、スライドバー１５６が嵌合解除方向１６４へ移動してしまうことを阻止する。例えば、ドライバーや他の道具を用いることによって、レバーラッチ１５４を押圧してハンドル１４８を後方へ回転可能にし、スライドバー１５６が嵌合解除方向１６４に移動可能としてもよい。
【００４１】
上述したように、コネクタ組立体１０２は、複数段階の嵌合解除（接続解除）シーケンスにおいて、相手コネクタ組立体１０４（図１参照）から嵌合解除（接続解除）される。嵌合解除シーケンスは、相手電力コンタクト２００（図２参照）から電力コンタクト３００（図３参照）、相手インターロックコンタクト９００（図８参照）からインターロックコンタクト４０６（図４参照）を順に接続解除する。嵌合解除シーケンスは、電気部品に蓄積された電荷を放出するための十分な時間を与えるために電力コンタクト２００，３００を嵌合状態に維持する一方で、電力コンタクト２００，３００を流れる電流を遮断するために、インターロックコンタクト４０６，９００の接続解除と電力コンタクト２００，３００の接続解除との間に遅延時間を生じさせる。
【００４２】
図１５は、嵌合解除シーケンスの第二段階の本発明の一実施形態におけるコネクタ組立体１００の斜視図である。図１６は、コネクタ組立体１００を図１５に示される線１６−１６で切断した断面図である。コネクタ組立体１０２が相手コネクタ組立体１０４（図１１参照）と嵌合した後、コネクタ組立体１０２は、レバーサブ組立体１４６を後方回転させることで相手コネクタ組立体１０４から取り外される。上述したように、ハンドル１４８が後方回転すると、スライドバー１５６が嵌合解除方向へ移動し、グリップ端１５２（図１参照）が嵌合解除方向１６４にコネクタ組立体１０２を移動させる。例えば、レバーサブ組立体１４６の歯３０２（図３参照）は、前進円弧１１００（図１０参照）とは反対方向に回転することで、ハンドル１４８の回転をコネクタ組立体１０２の嵌合解除方向１６４への直線的に移動に変換する。図１５に示されるように、ハンドル１４８は、コネクタ組立体１０２の後面１１０へ向かって中央位置まで後方回転されている。レバーラッチ１５４（図１参照）が一旦押されると、ハンドル１４８が後方回転し、スライドバー１５６が嵌合解除方向１６４へ移動する。レバーラッチ１５４がスライドバー１５６のラッチ開口３１６へ上がるまで、ハンドル１４８が後面１１０へ向かって回転し続け、スライドバー１５６が嵌合解除方向１６４へスライドする。
【００４３】
例えば、図１６に示されるように、ラッチ開口３１６がレバーラッチ１５４と整合するので、レバーラッチ１５４がラッチ開口３１６内へ弾性的に付勢されるまで、レバーラッチ１５４をスライドバー１５６によって下方偏倚可能となる。スライドバー１５６が嵌合解除方向１６４とは反対方向へ移動する際に、レバーラッチ１５４がラッチ開口３１６内へ弾性的に上方へ付勢されるまで、スライドバー１５６は、レバーラッチ１５４の傾斜面１５００によってレバーラッチ１５４を下側へ偏倚させながらレバーラッチ１５４上を通過する。例えば、スライドバー１５６がレバーラッチ１５４上を通過すると、スライドバー１５６の底面３１４は、レバーラッチ１５４を押圧する。ラッチ開口３１６がレバーラッチ１５４上に一旦配置されると、レバーラッチ１５４がラッチ開口３１６の内側でスライドバー１５６と係合するように上方へ”ポップ（pop)”して、スライドバー１５６がさらに後方移動してしまうことを防止する。レバーラッチ１５４は、ラッチ開口３１６の内側でスライドバー１５６と係合し、嵌合解除方向１６４にスライドバー１５６が後方移動し続けることを防止する。例えば、レバーラッチ１５４の阻止面１５０２は、ラッチ開口３１６の内側でスライドバー１５６と係合し、スライドバー１５６の嵌合解除方向１６４へのさらなる移動を停止させる。ゆえに、このようなスライドバー１５６の制限された移動によって、ハンドル１４８がさらに回転することを防止し、コネクタ組立体１０２が嵌合解除方向１６４へ移動してしまうことも防止する。
【００４４】
図１７は、嵌合解除シーケンスの第二段階の図１５に示されたコネクタ組立体１００を図６に示される線Ａ−Ａで切断した断面図である。嵌合解除の第一段階（図１１参照）から第二段階（図１５参照）まで、相手コネクタ組立体１０４から離れるように嵌合解除方向１６４にコネクタ組立体１０２が移動しても、電力コンタクト２００，３００間の接続は維持される。例えば、電力コンタクト２００，３００は、相手コネクタ組立体１０４に対してコネクタ組立体１０２が嵌合方向１６２へ移動すると、レバーラッチ１５４がスライドバー１５６に係合するまで、互いに離れるように移動する。スライドバー１５６およびハンドル１４８の移動をさらに防止し、が相手コネクタ組立体１０４から離れる方向にさらに移動することをレバーラッチ１５４が防止するので、電力コンタクト２００，３００も、互いに接続解除されることを防止される。
【００４５】
図１８は、嵌合解除シーケンスの第二段階の図１５に示されたコネクタ組立体１００を図６に示される線Ｂ−Ｂで切断した断面図である。コネクタ組立体１０２のインターロック回路コンタクト４０６は、この段階において、相手コネクタ組立体１０４の相手インターロックコンタクト９００と接続解除される。図１７に示されるように、インターロックコンタクト４０６，９００が接続解除される一方で、電力コンタクト２００，３００（図２および図３参照）は、互いに接続したままである。インターロックコンタクト４０６，９００の嵌合解除によって、電力コンタクト２００，３００を流れる電力を遮断する。例えば、図２３を参照して上述したように、インターロックコンタクト４０６，９００が接続されるＨＶＩＬ回路２３２０（図２３参照）は、インターロックコンタクト４０６，９００の嵌合解除を検出し、電力コンタクト２００，３００を通じて電源回路２３０２（図２３参照）を流れる電流を停止する。電力コンタクト２００，３００を接続状態に維持することで、電力コンタクト２００，３００と電気的に接続される一つ以上のコンポーネントが電力コンタクト２００，３００を通じて電流すなわち電荷を放出・放電可能な電荷すなわち電流の通電路が与えられる。例えば、一本以上のケーブル１１４，１４２（図１参照）は、電気接地基準と電気的に接続される。インターロックコンタクト４０６，９００が接続解除され、電力が電力コンタクト２００，３００に完全に伝わらなくなった後に、ケーブル１１４，１４２は、嵌合状態の電力コンタクト２００，３００を通じて電気接地基準へ電流すなわち電荷を放出することができる。
【００４６】
図１６に示されるように、相手コネクタ組立体１０４からコネクタ組立体１０２を完全に接続解除すなわち嵌合解除するためには、ドライバーなどの道具１７００を用いてレバーラッチ１５４を押し、レバーラッチ１５４との係合からスライドバー１５６を開放できる。ドライバーが道具１７００として図示されているが、別の実施形態においては、異なる道具や目的に合った物を用いてもよい。道具１７００は、スライドバー１５６のラッチ開口３１６内へ挿入される。道具１７００は、レバーラッチ１５４をコネクタ組立体１０２のハウジング１０６内へ押し下げる。道具１７００は、レバーラッチ１５４の阻止面１５０２が嵌合解除方向１６４へのスライドバー１５６の後方移動を阻止すなわち防止しないように、十分離れてレバーラッチ１５４を下方向に付勢する。例えば、ハンドル１４８がハウジング１０６の後面１１０へ向かって後方回転する間、レバーラッチ１５４は、下方へ押圧される。レバーラッチ１５４が十分離れて下方向に一旦付勢されると、レバーラッチ１５４がスライドバー１５６の嵌合解除方向１６４へ移動をもはや阻止しないので、ハンドル１４８が後面１１０へ向かって回転可能にされ、スライドバー１５６が嵌合解除方向１６４へ移動可能となる。ハンドル１４８がハウジング１０６の後面１１０へ向かって回転すると、スライドバー１５６が嵌合解除方向１６４へ移動する。
【００４７】
電力コンタクト２００，３００（図２および図３参照）と電気的に接続されたコンポーネントに蓄積された電荷が電気接地基準を通じて放電可能とするために、道具１７００をラッチ開口３１６内へ挿入し、レバーラッチ１５４を押すためにコネクタ組立体１００の使用者すなわち作業者が必要とする時間は、十分長い。例えば、図１６に示されるスライドバー１５６とレバーラッチ１５４の係合によるスライドバー１５６の後方移動の阻止およびハンドル１４８の後方回転の阻止と、スライドバー１５６からレバーラッチ１５４を係合解除するためにその後必要となる時間は、十分に長く、残留した電荷すなわち電流をケーブル１１４，１４２（図１参照）を通じて接地へ放電できる。ハンドル１４８が後方回転し続けると、コネクタ組立体１０２は、相手コネクタ組立体１０４から離れるように嵌合解除方向へ移動し続ける。コネクタ組立体１０２の移動は、電力コンタクト２００，３００（図２および図３参照）同士および相手コネクタ組立体１０４からコネクタ組立体１０２を最終的に嵌合解除する。
【００４８】
図１９は、本発明の別の実施形態における嵌合解除されたコネクタ組立体１００の斜視図である。コネクタ組立体２０００は、図１に示されるコネクタ組立体１００と同様である。例えば、コネクタ組立体２０００は、高電圧コネクタ組立体であり、コネクタ組立体２００２および相手コネクタ組立体２００４を含む。コネクタ組立体２００２は、コネクタ組立体１０２（図１参照）と同様である。相手コネクタ組立体２００４は、相手コネクタ組立体１０４（図１参照）と同様である。例えば、コネクタ組立体２００２と相手コネクタ組立体２００４は、互いに嵌合して通電する。
【００４９】
コネクタ組立体２００２は、嵌合面（嵌合端）２００８と後面２０１０、上面２０１８と上面２０１８と反対側の底面２０２０との間および互いに対向する側面２０２２と側面２０２４との間との間を延伸する外部ハウジング２００６を含む。嵌合面２００８が相手コネクタ組立体２００４と係合し嵌合することで、相手コネクタ組立体２００４とコネクタ組立体２００２が連結する。相手コネクタ組立体２００４は、嵌合面２０２８と実装面２０３０との間を延伸する外部ハウジング２０２６を含む。嵌合面２０２８はコネクタ組立体２００２と嵌合し、実装面２０３０は電力配分モジュールなどのモジュール１３２（図１参照）に実装あるいは連結される。さらに、ハウジング２０２６は、互いに反対側の上面２０３４と底面２０３６との間、および互いに反対側の側面２０３８と側面２０４０との間を延伸する。コネクタ組立体２００２と相手コネクタ組立体２００４は、電力コンタクト２００，３００（図２および図３参照）やインターロックコンタクト４０６，９００（図４および図９参照）と同様または同一の電力コンタクトおよびインターロックコンタクトを含む。
【００５０】
コネクタ組立体２００２は、ハウジング２００６と連結されたレバーサブ組立体２０４６を含む。レバーサブ組立体２０４６は、コネクタ組立体２００２を相手コネクタ組立体２００４へ向かっておよび／または相手コネクタ組立体２００４から離れるように移動させるように手動操作される。レバーサブ組立体２０４６はハウジング２００６に回転自在に連結されたハンドル２０４８を含み、ハンドル２０４８が回転軸２０５０の周りをハウジング２００６に対して回転可能である。ハンドル１４８と同様に、ハンドル２０４８は、コネクタ組立体２００２と相手コネクタ組立体２００４とを嵌合させるために、後方位置から前方位置まで反対方向に回転可能である。ハンドル２０４８は、相手コネクタ組立体２００４から離れる方向に回転することで、相手コネクタ組立体２００４からコネクタ組立体２００２を嵌合解除する。ハンドル２０４８は、グリップ端１５２と同様のグリップ端２０５２を含む。例えば、グリップ端２０５２は、相手コネクタ組立体２００４のハウジング２００６と係合し、ハンドル２０４８の回転移動を、互いに反対方向となる嵌合方向２０６２と嵌合解除方向２０６４に沿う相手コネクタ組立体２００４に対してコネクタ組立体２００２の直線的に移動へ変換する。
【００５１】
コネクタ組立体１００（図１参照）とコネクタ組立体２０００との１つの違いは、コネクタ組立体２００２の互いに反対側となる側面２０２２、側面２０２４にレバーラッチ２０５４を含むことである。２つのレバーラッチ２０５４が図１９に示されるが、別の実施形態では、単一のレバーラッチ２０５４が備えられてもよい。コネクタ組立体２００２と相手コネクタ組立体２００４の嵌合および／または嵌合解除の際に、ハンドル２０４８を回転させると、レバーラッチ２０５４がレバーサブ組立体２０４６と係合する。レバーラッチ２０５４は、トグルスイッチとして示され、コネクタ組立体２００２のハウジング２００６に回転自在に連結される。トグルスイッチは、前端２０７４と後端２０７６（図２０参照）間を延伸し、前端２０７４と後端２０７６との間に回転ピン２０７８を垂直に配置する。回転ピン２０７８は、トグルスイッチの回転軸を与え、回転ピン２０７８の対向する端部またはその近傍でハウジング２００６と連結される。図１９に示されるように、ピン２０７８は、ハウジング２００６におけるピン開口２０８０内に受容される。端部２０７４，２０７６は、互いに対してシーソーとなるように回転ピン２０７８を軸として回転する。例えば、図１９で見られるトグルスイッチは、一端２０７４がハウジング２００６の側面２０２２から離れるように回転すると、他の端部２０７６が側面２０２２へ向かって回転できるように回転する。その反対に、一端２０７４が側面２０２２へ向かって回転すると、他の端部２０７６が側面２０２２から離れるように回転する。
【００５２】
ハウジング２００６は、ハウジング２００６へ延伸し、端部２０７４，２０７６を受容するように形成された複数の凹部２０８２を含む。図示された実施形態において、端部２０７４，２０７６は、複数の凹部２０８２内へ受容される突起２０８４を含む。突起２０８４は、凹部２０８２内へスナップ係合し、ハウジング２００６とのスナップ係合または圧入係合で保持される。例えば、ハウジング２００６へ向かって回転する端部２０７４，２０７６が端部２０７４，２０７６と端部と対応する凹部２０８２間の圧入によってハウジング２００６に固定されつつ、端部２０７４，２０７６がハウジング２００６へ向かっておよび離れる方向へ互い違いに回転してもよい。トグルスイッチの一端２０７４，２０７６がハウジング２００６に保持されると、もう一方の端部２０７４，２０７６はハウジング２００６から十分に離れるように突出することで、ハンドル２０４８が突出端２０７４，２０７６を通過して回転してしまうことを防止する。例えば、図１９に示される実施形態において、端部２０７４は、端部２０７４を通過して嵌合面２００８へ向かってハンドル２０４８が回転してしまうことを防止する。コネクタ組立体２０００の使用者または作業者が端部２０７４をハウジング２００６へ向かって押して、端部２０７６をハウジング２００６から離れるように回転させるまで、端部２０７４は、端部２０７４を通過してハンドル２０４８が回転してしまうことを防止する。
【００５３】
複数段階の嵌合シーケンスにおいて、コネクタ組立体２００２は相手コネクタ組立体２００４と嵌合する。嵌合シーケンスは、コネクタ組立体１００（図１参照）に関して上述したことと同様にして、電力コンタクト同士およびインターロックコンタクト同士を順に嵌合する。例えば、嵌合シーケンスにおいては、コネクタ組立体２００２のインターロックコンタクトと相手コネクタ組立体２００４のインターロックコンタクトとが嵌合する前に、コネクタ組立体２００２の電力コンタクトと相手コネクタ組立体２００４の電力コンタクトとが嵌合する。コネクタ組立体２００２は、複数段階の嵌合解除シーケンスで相手コネクタ組立体２００４から嵌合解除される。コネクタ組立体１００の嵌合解除シーケンスと同様に、コネクタ組立体２０００の嵌合解除シーケンスは、相手コネクタ組立体２００４の電力コンタクトからコネクタ組立体２００２の電力コンタクトを嵌合解除し、相手コネクタ組立体２００４のインターロックコンタクトからコネクタ組立体２００２のインターロックコンタクトを順に嵌合解除する。例えば、電力コンタクト同士を嵌合解除する前に、インターロックコンタクト同士を嵌合解除する。電力コンタクト同士が嵌合解除される前に、電力コンタクトに電気的に接続された電気部品に蓄積された電荷を放出可能とするためにインターロックコンタクト同士の嵌合解除と電力コンタクト同士の嵌合解除との間に十分な遅延時間が持たれる。
【００５４】
図２０は、嵌合シーケンスの第一段階の本発明の一実施形態におけるコネクタ組立体２０００の説明図である。第一段階において、コネクタ組立体２００２，２００４の電力コンタクト同士が互いに嵌合されるがインターロックコンタクト同士が嵌合される前まで、相手コネクタ組立体２００４はコネクタ組立体２００２内に受容される。ハンドル２０４８がレバーラッチ２０５４の端部２０７４と係合し、コネクタ組立体２００２の嵌合面２００８へ向かってさらに回転することが阻止されるまで、ハンドル２０４８は、前方回転する。レバーラッチ２０５４は、作業者によって端部２０７４がコネクタ組立体２００２のハウジング２００６へ向かって押されることで手動駆動される、端部２０７６がハウジング２００６から離れるように回転する。
【００５５】
図２１は、嵌合シーケンスの第二段階の本発明の一実施形態におけるコネクタ組立体２０００の斜視図である。第二段階において、前端２０７４がハウジング２００６の一以上の凹部２０８２に固定され、代わりに後端２０７６がハウジング２００６から離れるまで、レバーラッチ２０５４の前端２０７４がハウジング２００６へ向かって回転する。前端２０７４がハウジング２００６に固定されると、ハンドル２０４８が図２１で示された前方位置まで回転する。前方位置においては、ハンドル２０４８およびハンドル２０４８のグリップ端２０５２、コネクタ組立体２００２は、相手コネクタ組立体２００４と嵌合されるように進んでしまっている。例えば、ハンドル２０４８は、嵌合方向２０６２に沿ってコネクタ組立体２００２を進めて、コネクタ組立体２００２と相手コネクタ組立体２００４の電力コンタクト同士が互いに嵌合した状態で、コネクタ組立体２００２と相手コネクタ組立体２００４のインターロックコンタクト同士が互いに嵌合可能にする。上述したように、図２１に示された嵌合位置において、インターロックコンタクト同士が一旦嵌合された場合に、ＨＶＩＬ回路１７２（図１参照）と同様のインターロック回路は、嵌合した電力コンタクトを通じての電力供給を開始してもよい。
【００５６】
上述したように、コネクタ組立体２００２は、複数段階の嵌合解除シーケンスで相手コネクタ組立体２００４から嵌合解除される。嵌合解除シーケンスは、相手コネクタ組立体２００４の電力コンタクトからコネクタ組立体２００２の電力コンタクトを嵌合解除し、相手コネクタ組立体２００４のインターロックコンタクトからコネクタ組立体２００２のインターロックコンタクトを順に嵌合解除する。電気部品が蓄積された電荷を放電させるための十分な時間のために電力コンタクト同士の嵌合状態を維持しつつ電力コンタクトを通じての電力供給を遮断するために、嵌合解除シーケンスは、インターロックコンタクト同士の嵌合解除と電力コンタクト同士の嵌合解除との間に遅延時間を生じさせる。
【００５７】
図２２は、嵌合解除シーケンスの第二段階の本発明の一実施形態におけるコネクタ組立体２０００の斜視図である。図２１に示されるコネクタ組立体２０００の嵌合位置は、嵌合解除シーケンスの第一段階である。コネクタ組立体２００２と相手コネクタ組立体２００４との嵌合後、コネクタ組立体２００２は、ハンドル２０４８の後方回転によって相手コネクタ組立体２００４から嵌合解除される。上述したように、ハンドル２０４８が相手コネクタ組立体２００４へ向かって回転すると、ハンドル２０４８のグリップ端２０５２が回転することにより、グリップ端２０５２は、嵌合方向２０６２に沿ってコネクタ組立体２００２を相手コネクタ組立体２００４へ直線的に前進させる。反対に、ハンドル２０４８が相手コネクタ組立体２００４から離れるように回転すると、ハンドル２０４８のグリップ端２０５２が回転することにより、グリップ端２０５２は、反対の嵌合解除方向２０６４に沿ってコネクタ組立体２００２を相手コネクタ組立体２００４から離れるように直線的に戻す。
【００５８】
図２２に示されるように、ハンドル２０４８は、相手コネクタ組立体２００４から離れるように、レバーラッチ２０５４の端部２０７４，２０７６間に配置された中央位置まで後方回転する。例えば、ハンドル２０４８がレバーラッチ２０５４の後端２０７６と係合するまで、ハンドル２０４８は後方回転する。後端２０７６はハウジング２００６から離れて突出する所定位置にあるので、後端２０７６はハンドル２０４８のさらなる後方回転を阻止可能である。一以上の凹部２０８２にレバーラッチ２０５４の前端２０７４が固定されると、レバーラッチ２０５４は、ハウジング２００６へ向かって後端２０７６が回転し、ハンドル２０４８の経路から外れてしまうことを防止する。レバーラッチ２０５４は、手動操作によって、相手コネクタ組立体２００４から離れるようにハンドル２０４８を回転させることが可能である。例えば、後端２０７６は、ハウジング２００６へ向かって押され、レバーラッチ２０５４を回転させ、ハウジング２００６から前端２０７４を離すように移動させ、後端２０７６をハウジング２００６へ向かってハンドル２０４８の経路から外れるように移動させる。後端２０７６がハンドル２０４８の経路から一旦外れると、ハンドル２０４８は、コネクタ組立体２００２の嵌合面２００８から離れるように回転し続ける。
【００５９】
一実施形態において、ハンドル２０４８がレバーラッチ２０５４の端部２０７４，２０７６間に配置されるまで、図２１に示される位置からハンドル２０４８を後方回転させると、電力コンタクト同士の嵌合状態が維持されるが、コネクタ組立体２００２と相手コネクタ組立体２００４のインターロックコンタクト同士が嵌合解除される。電力コンタクト同士を嵌合解除して、相手コネクタ組立体２００４とコネクタ組立体２００２を分離するために、コネクタ組立体２０００の作業者または使用者は、レバーラッチ２０５４の後端２０７６を押して、ハンドル２０４８の経路から外れるように移動させる。一実施形態において、作業者は、ハウジング２００６の両側面２０２２，２０２４にある複数のレバーラッチ２０５４の後端２０７６を押し、ハンドル２０４８を後方回転させ、コネクタ組立体２００２と相手コネクタ組立体２００４の電力コンタクト同士を嵌合解除する。
【００６０】
コネクタ組立体２０００内の電力コンタクトと電気接続された部品に蓄積された電荷について電気接地基準を通じて放電させるために、コネクタ組立体２０００の使用者または作業者が、後端２０７６をハウジング２００６へ向かって、ハンドル２０４８との係合状態から外れるように移動するようにレバーラッチ２０５４を切り替えるための必要時間を十分に長くする。例えば、ハンドル２０４８からレバーラッチ２０５４を係合解除するために必要となる時間と組み合わせ、ハンドル２０４８の後方回転を阻止し、相手コネクタ組立体２００４に対して嵌合解除方向２０６４へコネクタ組立体２００２の移動を阻止することは、十分長い時間にして、残存する電荷すなわち電流を電気接地基準へ放電する。コネクタ組立体２００２の一方または両方の側面２０２２，２０２４においてハンドル２０４８の経路から外れるようにレバーラッチ２０５４を切り替えた後、ハンドル２０４８が後方回転し続けるにつれて、コネクタ組立体２００２が相手コネクタ組立体２００４から離れるように嵌合解除方向２０６４へ移動し続ける。コネクタ組立体２００２の移動によって、コネクタ組立体２００２，２００４の電力コンタクト同士が嵌合解除され、コネクタ組立体２００２が相手コネクタ組立体２００４から嵌合解除される。
【００６１】
本実施形態において、寸法、材料の種類、様々な部材の採用、および様々名部材の数量および場所について規定されている傾向にあるが、決してこれら実施形態だけに限定されるものではない。当業者であれば、本実施形態を参照して、本願請求項の範囲内であれば、多くの他の実施形態や変更をすることが可能である。それゆえに、本発明の範囲は、本願請求項に含まれる全ての実施形態を含むものである。添付の特許請求の範囲では、「含む（ｉｎｃｌｕｄｉｎｇ）」および「そこにおいて（ｉｎ  ｗｈｉｃｈ）」という用語は、それぞれ「含む（ｃｏｍｐｒｉｓｉｎｇ）」および「そこにおいて（ｗｈｅｒｅｉｎ）」という用語の平易な英語として使用されるが、意味は等しい。さらに、以下の特許請求の範囲では、「第１」、「第２」、および「第３」などの用語は単なる標識として使用されるにすぎず、これらの用語の対象に数値的な要件を課すものではない。さらに、以下に示す特許請求の範囲の限定は、ミーンズ・プラス・ファンクション形式で記載されたものではない。当該限定が「手段（ｍｅａｎｓ  ｆｏｒ）」というフレーズを明示的に使用し、かつ、さらなる構造を欠いたまま機能（ファンクション）についての言及が当該フレーズに続かない限り、米国特許法（３５  Ｕ．Ｓ．Ｃ．）第１１２条の第６段落に基づいて解釈されるものではない。
【符号の説明】
【００６２】
１００・・・コネクタ組立体
１０４・・・相手（ヘッダ）コネクタ組立体
１０６・・・電力配電モジュール
１１２・・・外部ハウジング
１１４・・・長手軸
１１６・・・嵌合境界端
１１８・・・後端
１２６・・・コンタクト
２０２・・・浮動ラッチ
２０８・・・シール部材
２１４・・・（電磁）シールド
２２４・・・内部ハウジング
２３２・・・内部チャンバ
２３４・・・分流器
２３６・・・ヒューズ付きサブ組立体
２３８・・・挿入ボディ
２４０，２４２・・・導電性端子
２５０・・・ヒューズ
２６０・・・第１端部
２６２・・・第２端部
２６４・・・フレキシブルラッチ
７１６・・・インターロック回路
【図１】
2013507734.tif 000003
【図２】
2013507734.tif 000004
【図３】
2013507734.tif 000005
【図４】
2013507734.tif 000006
【図５】
2013507734.tif 000007
【図６】
2013507734.tif 000008
【図７】
2013507734.tif 000009
【図８】
2013507734.tif 000010
【図９】
2013507734.tif 000011
【図１０】
2013507734.tif 000012
【図１１】
2013507734.tif 000013
【図１２】
2013507734.tif 000014
【図１３】
2013507734.tif 000015
【図１４】
2013507734.tif 000016
【図１５】
2013507734.tif 000017
【図１６】
2013507734.tif 000018
【図１７】
2013507734.tif 000019
【図１８】
2013507734.tif 000020
【図１９】
2013507734.tif 000021
【図２０】
2013507734.tif 000022
【図２１】
2013507734.tif 000023
【図２２】
2013507734.tif 000024
【図２３】
2013507734.tif 000025
【国際調査報告】
2013507734.tif 000026
2013507734.tif 000027
2013507734.tif 000028